(57)【要約】【課題】人の視界の邪魔にならず、臭いや薬剤による人体への影響の問題も生じず、且つ、効果的に昆虫防除を行うことのできる昆虫誘引装置を提供する。【解決手段】昆虫誘引装置１は、光源２と、制御部３とを備える。光源２は、７８０ｎｍ以上１３５０ｎｍ以下の波長成分を有する光を照射する。制御部３は、光源２を制御する。制御部３は、１００Ｈｚ以上４００Ｈｚ以下の点滅周期で、光源２を点滅させる。そして、光源２の出射照度は、光源２に対向する照射面における平均照射照度に比べ、５倍以下の数値である。【選択図】図１
2019058124.tif 000002
【特許請求の範囲】
【請求項１】
７８０ｎｍ以上１３５０ｎｍ以下の波長成分を有する発光を行う光源と、
前記光源を制御する制御部と、を備え、
前記制御部は、１００Ｈｚ以上４００Ｈｚ以下の点滅周期で、前記光源を点滅させ、
前記光源の出射照度は、前記光源に対向する照射面における平均照射照度に比べ、５倍以下の数値である、昆虫誘引装置。
【請求項２】
昆虫誘引対象エリアの端部分における放射照度は、１μＷ／ｃｍ２以上、１Ｗ／ｃｍ２以下である、請求項１記載の昆虫誘引装置。
【請求項３】
部屋内に設置した際に、前記光源の設置高さが前記部屋の天井高さの３分の２以下である、請求項１又は２記載の昆虫誘引装置。
【請求項４】
人感センサを、さらに備え、
前記制御部は、前記人感センサが対象を検知してからの所定時間の間、前記光源を点滅させる、請求項１〜３のいずれか一項記載の昆虫誘引装置。
【請求項５】
昆虫を捕獲するための捕獲部を、さらに備え、
前記制御部は、前記光源を点滅させることで前記捕獲部に昆虫を誘引する、請求項１〜４のいずれか一項記載の昆虫誘引装置。
【請求項６】
昆虫の動きを検知する昆虫センサを、さらに備え、
前記昆虫センサは、昆虫の飛翔方向を予測し、
前記制御部は、前記昆虫センサが予測した昆虫の飛翔方向に基づいて、前記捕獲部に昆虫を誘引するように前記光源を点滅させる、請求項５記載の昆虫誘引装置。
【発明の詳細な説明】
【技術分野】
【０００１】
本発明は、光源を用いて昆虫を誘引する昆虫誘引装置に関する。
【背景技術】
【０００２】
蚊やアブ等の害虫は、不衛生なだけでなく、デング熱等の感染症の感染原因にもなるため、適切に防除することが求められている。一般に、蚊や蝿等を含む飛翔昆虫類の誘引ピークが波長約２５０〜４１０ｎｍの紫外領域にあると考えられている。そのため従来、これらの害虫を防除するために近紫外及び青色の発光成分を有する光源を用いた昆虫防除用の装置が開発されている（例えば、特許文献１）。
【０００３】
特許文献１に係る捕虫器は、近紫外及び青色の発光成分を有する発光を行う冷陰極蛍光灯によって虫を誘引し、誘引した虫を粘着材で捕獲するものである。また、散布型の殺虫剤や薬剤加熱蒸散型の殺虫器等も、虫の防除に用いることができる。
【先行技術文献】
【特許文献】
【０００４】
【特許文献１】特開２００３−３３３９７０号公報
【発明の概要】
【発明が解決しようとする課題】
【０００５】
しかしながら、特許文献１に係る捕虫器においては、その発光波長に青色の可視光域が含まれるため、人や動物の視界に光が入ってしまい、視覚的に邪魔になってしまい、場合によっては不快感を与えてしまう。また、散布型の殺虫剤や薬剤加熱蒸散型の殺虫器等を用いた場合は、薬剤が拡散等するため、その臭いによる不快感や、薬剤の人体等への影響が懸念される。
【０００６】
本発明は上記課題に鑑みてなされたものである。その目的は、人の視界の邪魔にならず、臭いや薬剤による人体への影響の問題も生じず、且つ、効果的に昆虫防除を行うことのできる昆虫誘引装置を提供することである。
【課題を解決するための手段】
【０００７】
上記課題を解決するために、本発明に係る昆虫誘引装置は、７８０ｎｍ以上１３５０ｎｍ以下の波長成分を有する発光を行う光源と、前記光源を制御する制御部と、を備え、前記制御部は、１００Ｈｚ以上４００Ｈｚ以下の点滅周期で、前記光源を点滅させ、前記光源の出射照度は、前記光源に対向する照射面における平均照射照度に比べ、５倍以下の数値である。
【発明の効果】
【０００８】
本発明に係る昆虫誘引装置においては、人の視認できない赤外線を点滅させることにより、昆虫を誘引することができるので、人の視界の邪魔にならない。また、薬剤を使用しないため、臭いや薬剤による人体への影響といった問題も生じない。
【図面の簡単な説明】
【０００９】
【図１】実施の形態１に係る昆虫誘引装置の概略斜視図
【図２】実施の形態１に係る昆虫誘引装置の概略断面図
【図３】実施の形態１に係る昆虫誘引装置のブロック図
【図４】（ａ）実施の形態１に係る昆虫誘引装置の設置例１を示す概略図（ｂ）実施の形態１に係る昆虫誘引装置の設置例２を示す概略図
【図５】（ａ）昆虫誘引装置の変形例１の概略斜視図（ｂ）昆虫誘引装置の変形例１の概略断面図
【図６】（ａ）昆虫誘引装置の変形例２の概略斜視図（ｂ）昆虫誘引装置の変形例２の概略断面図
【図７】評価実験に用いた光源の発光波長スペクトルを表すグラフ
【発明を実施するための形態】
【００１０】
以下では、本発明の実施の形態に係る昆虫誘引装置について、図面を用いて詳細に説明する。なお、以下に説明する実施の形態は、いずれも本発明の一例を示すものであって、数値、構成要素等についても一例に過ぎず、本発明を限定する趣旨のものではない。
【００１１】
また、各図は模式図であり、必ずしも厳密に図示されたものではない。また、各図において、実質的に同一の構成については、同一の符号を付しており、重複する説明は省略又は簡略化する。
【００１２】
（実施の形態１）
以下、図１〜４を用いて、本発明に係る昆虫誘引装置の実施の形態１について説明する。ここで、図１は、実施の形態１に係る昆虫誘引装置の概略斜視図である。図２は、実施の形態１に係る昆虫誘引装置の概略断面図である。図３は、実施の形態１に係る昆虫誘引装置のブロック図である。図４（ａ）は、実施の形態１に係る昆虫誘引装置の設置例１を示す概略図である。図４（ｂ）は、実施の形態１に係る昆虫誘引装置の設置例２を示す概略図である。
【００１３】
［構成］
昆虫誘引装置１は、赤外線光源を所定周波数で点滅させることで、昆虫誘引対象エリアにおいて、昆虫を誘引する装置である。昆虫誘引装置１は、特に、蚊やアブやヌカカ等の吸血昆虫や飛翔昆虫を誘引することに適している。これらの昆虫は、人の皮膚に痒みや痛みを伴う湿疹を生じさせるだけでなく、デング熱等の伝染病の感染源ともなる。昆虫誘引装置１は、これらの昆虫を適切に人の生活活動エリアから防除するために用いることができる。
【００１４】
昆虫誘引装置１が設置される場所としては、室内であれば、例えば、図４（ａ）に示すように寝室や、図４（ｂ）に示すようにリビング等、あらゆる室内に設置可能である。また、昆虫誘引装置１は、建物入り口や街路灯等の室外に設置することもできる。
【００１５】
昆虫誘引装置１は、光源２と、制御部３と、を備える。光源２は、昆虫誘引対象エリアに向けて赤外線を照射する。光源２としては、赤外線のみを発するものであってもよいし、或いは、赤外線を含む発光をするものと赤外線を透過するフィルタとを組み合わせたものであってもよい。制御部３は、光源２を制御する。制御部３によって、例えば、光源２の出射照度や点滅周期等が制御される。
【００１６】
ここで、出射照度とは、光源２の出射面から出射される際の照度のことである。出射面とは、光源２からの発光が、導光板等を介して昆虫誘引対象エリアに対して照射される場合は、導光板等の出射面である。一方、導光板等を介さず、光源２から直接に昆虫誘引対象エリアに照射される場合は、光源２の出射面である。また、点滅周期とは、光源２が点灯と消灯を繰り返す周期のことである。
【００１７】
ここで、昆虫誘引対象エリアとは、昆虫の防除、特に誘引を行う対象となるエリアであって、人が生活活動を行うエリアのことである。昆虫誘引対象エリアは、昆虫誘引装置１
がリビングや寝室等の室内に設置される場合は、その室内全エリアであってもよいし、或いは、室内の特定エリア（寝室に設置される場合はベッド周辺、リビングに設置される場合は食卓周辺等）であってもよい。
【００１８】
また、昆虫誘引対象エリアは、昆虫誘引装置１が建物入り口や街路灯に設置される場合は、設置場所から所定範囲（例えば、設置場所から半径１０ｍ等）のエリア等である。昆虫誘引対象エリアは、光源２からの発光の照射方向や照射照度等を調整することによって適宜に設定可能である。
【００１９】
また、昆虫誘引装置１は、人感センサ５を備えていることが好ましい。人感センサ５としては、例えば、電波センサ等のセンサ類やカメラ等を用いることができる。人感センサ５が昆虫誘引対象エリアに人が存在すると検知しているか否かに応じて光源２を点滅させることで、人がいない場合等の不要時に昆虫誘引装置１が動作するのを抑制することができ、消費電力を削減することができる。
【００２０】
具体的には、人感センサ５が人を検知している間のみ、昆虫誘引装置１を動作し光源２の点滅を行ってもよいし、或いは、人感センサ５が人を検知しなくなってから所定期間（例えば、１０分間）の間、昆虫誘引装置１を動作し光源２の点滅を行ってもよい。
【００２１】
また、人感センサ５が動物等を検知した際にも、光源２を点滅させる構成にしてもよい。人感センサ５が動物等を検知した際にも、光源２を点滅させることで、ペット等の動物に付着して人の生活活動エリアに蚊等の昆虫が侵入した際にも、昆虫誘引効果によって昆虫を防除することができる。
【００２２】
また、昆虫誘引装置１は、昆虫センサ６を備えていることが好ましい。昆虫センサ６は、昆虫の飛翔方向を解析することで、昆虫が昆虫誘引対象エリアに入ってくるか否かを予想する。この場合、制御部３は、昆虫センサ６が昆虫誘引対象エリアに昆虫が入ってくることを予想した場合にのみ、昆虫誘引装置１を動作し光源２を点滅させることが好ましい。この構成によって、昆虫が昆虫誘引対象エリアに存在しない場合等の不要時に昆虫誘引装置１が動作するのを抑制することができ、消費電力を削減することができる。
【００２３】
昆虫センサ６は、例えば、カメラ等であり、カメラによって検知した昆虫の所定時間ごと（例えば０．１秒ごと等）の位置から昆虫の飛翔方向のベクトルを算出し、飛翔方向のベクトルを用いて昆虫が昆虫誘引対象エリアに入ってくるか否かを予想する。
【００２４】
また、制御部３が、昆虫センサ６で検知した昆虫の飛翔方向ベクトルを用いて、昆虫誘引対象エリア内の昆虫を、後述する捕獲部或いは殺虫部に誘導するように、光源２の照射方向を制御するような構成としてもよい。上記構成とすれば、捕獲部での昆虫の捕獲や殺虫部での昆虫の殺虫を、より効率的に行うことができる。
【００２５】
具体的には、昆虫センサ６が昆虫の移動場所として予想した方向に向けて光源２からの照射を行うことで、昆虫を効率的に昆虫誘引装置１の方向に誘引することができる。また、昆虫センサ６が検知した昆虫の飛翔方向ベクトルを用いて、昆虫を昆虫誘引装置１の方向に誘引するために、光源２からの照射方向を修正することもできる。
【００２６】
また、昆虫誘引装置１は、動作状態を表す動作表示部７を備えていることが好ましい。光源２は人の目では感知できない赤外線を発するため一見して昆虫誘引装置１が動作中か否かを把握するのは困難である。そのため、動作表示部７を設けることで、操作者が一見して昆虫誘引装置１が動作中か否かを把握することができる。
【００２７】
動作表示部７には、例えば、可視光発光のＬＥＤ（Ｌｉｇｈｔ  Ｅｍｉｔｔｉｎｇ  Ｄｉｏｄｅ：発光ダイオード）や、有機ＥＬ（Ｅｌｅｃｔｒｏ  Ｌｕｍｉｎｅｓｃｅｎｃｅ）や無機ＥＬ等のＥＬ素子等、様々な発光素子を用いることができる。
【００２８】
また、昆虫誘引装置１は、周囲環境の平均照射照度を測定する照度センサ（図示せず）を備えることが好ましい。周囲環境の照射照度は、光源２に対向する照射面での平均照射照度を測定することによって求められる。それゆえ、照度センサは、照射面での照度を測定する。
【００２９】
ここで、照射面とは、光源２からの照射方向に対して略垂直な面である。照射面としては、例えば、光源２が天井面に設置されている場合にあっては、食卓等の上面或いは床面等であり、光源２が壁面に設置されている場合にあっては、対向する壁面等である。また、光源２が床面に設置されている場合にあっては、天井面等である。
【００３０】
後述する通り、昆虫誘引の効果を得るためには、光源２の出射照度は、光源２に対向する照射面の平均照射照度に比べ、５倍以下の数値であることが好ましい。そのため、昆虫誘引の効果については、室内照明が消灯される等の周囲環境の変化等によって影響を受けることとなる。
【００３１】
そこで、照度センサによる照射面における平均照射照度の測定結果を用いることで、光源２の出射照度を、照射面での平均照射照度に比べ５倍以下の数値に保つことができ、周囲環境が変化等した場合でも継続的に昆虫誘引の効果を得ることができる。
【００３２】
また、昆虫誘引装置１は、誘引した昆虫を捕獲するための捕獲部４を備えることが好ましい。誘引した昆虫を捕獲部４によって捕獲することで、誘引した昆虫が再度人の生活活動エリアに侵入することを防止でき、有害昆虫の防除をより効率的に行うことができる。捕獲部４としては、例えば、粘着テープ等を用いることができる。
【００３３】
また、昆虫誘引装置１の本体８は、黒色であることが好ましい。対象となる蚊等の昆虫は黒色のものに集まりやすい性質を有するため、昆虫誘引装置１の本体８を黒色にすることでより効率的に昆虫を誘引することができる。
【００３４】
また、昆虫誘引装置１が部屋内に設置される場合において、光源２は、設置される部屋の天井高さの３分の２以下の高さに設置されるのが好ましい。後述する比較実験で示す通り、設置される部屋の天井高さの３分の２以下の高さに光源２を設置することで、昆虫をより効率的に誘引することができる。
【００３５】
また、昆虫誘引装置１は電力線１０によって外部電力と接続されている。昆虫誘引装置１を動作させるための電力は、電力線１０を通して外部電力から供給される。なお、昆虫誘引装置１は、電池を備え、電池による電力供給によって動作するような構成としてもよい。
【００３６】
［光源］
光源２は、赤外線を昆虫誘引対象エリアに向けて照射する。光源２は、７８０ｎｍ以上１３５０ｎｍ以下の赤外線領域の波長成分を有する光を点滅させながら照射する。光源２は、１００Ｈｚ以上４００Ｈｚ以下の点滅周期で赤外線を照射する。
【００３７】
実施の形態１において、光源２には、ＬＥＤやＥＬ素子等のように比較的発光波長の範囲が限られている光源であって、赤外線領域の波長の発光を行う発光素子を用いている。しかしながら、光源２として用いることができるものは、上記の発光素子等に限定されな
い。例えば、白熱灯、ハロゲンランプ、キセノンランプ等のように、赤外線領域を含む比較的広い波長域で発光を行うものと、赤外線を透過するフィルタとを組み合わせたものを、光源２として用いてもよい。
【００３８】
光源２の点滅周期は、制御部３からの出力によって周波数調整部９によって、１００Ｈｚ以上４００Ｈｚ以下の範囲内に調整される。周波数調整部９としては、例えば、ファンクションジェネレータや標準信号発生器等を用いることができる。
【００３９】
なお、昆虫誘引対象エリアの端部分における、光源２からの照射照度は１μＷ／ｃｍ２以上、１Ｗ／ｃｍ２以下であることが好ましい。誘引対象となる昆虫の頭部における照射照度は１μＷ／ｃｍ２以上、１Ｗ／ｃｍ２以下であれば効果的に昆虫の誘引効果を得ることができる。それゆえ、昆虫誘引対象エリアの端部分における、光源２からの照射照度は１μＷ／ｃｍ２以上、１Ｗ／ｃｍ２以下であれば、昆虫誘引対象エリアの端部分の昆虫についても効果的に誘引することができる。
【００４０】
ここで、昆虫誘引対象エリアの端部分とは、昆虫誘引対象エリアにおいて光源２から最も遠い部分のことである。例えば、昆虫誘引装置１が室内に設置された場合であって、昆虫誘引対象エリアがその室内全域である場合は、光源２から最も遠いその室内の角部分のことである。
【００４１】
また、光源２の照射方向は、その対向する照射面に対して垂直な方向であることが好ましい。蚊等の誘引の対象となる昆虫は、室内において壁面等で止まっていることが多いため、光源２はその対向する照射面に対して垂直な方向に赤外線を照射することで、壁面等に止まっている昆虫に赤外線が当たりやすくなる。
【００４２】
なお、実施の形態１において、光源２は他の照明装置から独立したものとして構成されているが、光源２の構成はこれに限定されない。例えば、光源２は室内照明や街路灯等の空間を照らすための照明器具に一体的に設置されていてもよい。
【００４３】
［制御部］
制御部３は、光源２の出射照度や点滅周期等を制御する。制御部３は、例えば、ＣＰＵ等である。制御部３は、光源２の出射照度を制御するために、例えば、前述の照度センサを用いる。具体的には、制御部３は、照度センサが検知した照射面における平均照射照度と比較し、５倍以下の数値となるように、光源２からの照射照度を調整する。
【００４４】
なお、制御部３による照射照度の調整方法は、上記の方法に限定されない。例えば、照度センサを用いずに、制御部３に時計機能又はタイマー機能が備わっており、１日の中で昼間の時間帯は光源２からの照射照度を所定の値以上とし、夜間の時間帯は光源２からの照射照度を所定の値以下とする、という制御を行ってもよい。
【００４５】
また、制御部３は、光源２の点滅周期を制御するために、周波数調整部９に指令を出力する。そして、周波数調整部９によって光源２の点滅周期が、１００Ｈｚ以上４００Ｈｚ以下の範囲内で調整される。
【００４６】
点滅周期の制御については、例えば、制御部３は、昆虫誘引装置１の動作中は、常に１００Ｈｚ以上４００Ｈｚ以下の範囲内の所定の周波数で光源２を点滅させるように制御してもよい。また、制御部３は、１００Ｈｚ以上４００Ｈｚ以下の範囲内で点滅周期を周期的に変動させるように制御してもよい。
【００４７】
また、制御部３は、所定の時間ごとに、光源２の点滅を行うか否かを切り替えるように
光源２を制御してもよい。例えば、制御部３は、光源２が点滅を開始してから２０分後に光源２の点滅を終了させ、点滅の終了から１５分後に再び光源２の点滅を開始させるような制御を行ってもよい。
【００４８】
また、制御部３は、そのタイマー機能を用いて、時間帯によって昆虫誘引装置１の動作を切り替えるような昆虫誘引装置１の制御を行ってもよい。具体的には、制御部３は、昆虫誘引装置１が設置された場所において、人が生活活動する時間帯にのみ昆虫誘引装置１を動作させ、人が生活活動する時間帯以外には昆虫誘引装置１を動作させないような制御をすることができる。例えば、昆虫誘引装置１が寝室に設置されている場合は、人が就寝のために寝室を使用する夜間の時間帯のみ昆虫誘引装置１を動作させ、人が寝室を使用しない昼間の時間帯は昆虫誘引装置１を動作させないことが好ましい。
【００４９】
このように昆虫誘引装置１を制御すれば、昆虫誘引装置１が設置された場所で人が生活活動する時間帯等の昆虫の防除が必要な時間帯にのみ昆虫誘引装置１を動作させることができ、昆虫誘引装置１によって消費されるエネルギーを削減できる。
【００５０】
また、制御部３は、そのタイマー機能と人感センサ５を用いて、昆虫誘引対象エリアに人が存在することを人感センサ５が検知してから所定時間（例えば１５分）が経過するまでの間、光源２を点滅させるように制御してもよい。
【００５１】
人感センサ５が昆虫誘引対象エリアに人が存在すると検知しているか否かに応じて光源２を点滅させることで、人がいない場合等の不要時に昆虫誘引装置１が動作するのを抑制することができ、消費電力を削減することができる。
【００５２】
［捕獲部］
昆虫誘引装置１は捕獲部４を備えることが好ましい。捕獲部４は、光源２の点滅によって誘引された昆虫を捕獲する。捕獲部４としては、例えば、粘着テープ等のような、粘着性を有し昆虫を粘着捕獲するものを用いることができる。捕獲部４によって光源２の点滅により誘引された昆虫を捕獲することによって、誘引した昆虫を逃がすことを防止できるため、効率的に昆虫の防除をすることができる。
【００５３】
実施の形態１において、捕獲部４は、昆虫誘引装置１の本体８の内部であって、光源２を、光源２の照射方向を除いた３面で囲むように設置されている。なお、捕獲部４の設置方法はこれに限定されず、例えば、光源２の照射方向を除いた３面のうちのいずれか１面又は２面にのみ設置されていてもよく、また、いずれか１面の一部にのみ設置されていてもよい。また、捕獲部４が赤外線の透過性を有する場合は、光源２の照射方向に設置されていてもよい。
【００５４】
また、捕獲部４は、黒色であることが好ましい。対象となる蚊等の昆虫は黒色のものに集まりやすい性質を有するため、捕獲部４を黒色にすることでより効率的に昆虫を誘引することができる。
【００５５】
また、昆虫誘引装置１は、捕獲部４に加えて、捕獲部４の近くに吸引ファンを備えることが好ましい。光源２の点滅によって誘引された昆虫を、吸引ファンによる吸引によって捕獲部４に誘導することで、捕獲部４による昆虫の捕獲をより効果的に行うことができる。
【００５６】
また、昆虫誘引装置１は、捕獲部４に加えて、捕獲部４の近くにＣＯ２発生部を備えていることが好ましい。蚊等の有害昆虫の一部には、ＣＯ２を感知し、ＣＯ２の多い場所に動物等がいると判断して近づいていく性質があると考えられている。そのため、捕獲部４
の近くにＣＯ２発生部を備えることで、捕獲部４による昆虫の捕獲をより効果的に行うことができる。
【００５７】
なお、ＣＯ２発生部で用いるＣＯ２の発生源としては、ＣＯ２ガスボンベ、光触媒によるＣＯ２発生、ドライアイス等を用いることができる。また、ＣＯ２発生部は、ノズルやホースや小型のダクト等を有しており、そのノズルやファン等を用いてＣＯ２を噴出する構成を採用することができる。
【００５８】
また、昆虫誘引装置１は、捕獲部４に加えて、ニオイ発生部を備えることが好ましい。ニオイ発生部からは、イソキチソサンと乳酸とオクテノールとｎ−オクチルアルコールと１−ノナノールとから成る成分群の中から少なくとも１つの成分を有する気体が発生する。
【００５９】
上記成分群の成分は、人を含む動物から発生するニオイの成分であり、蚊等の有害昆虫の一部には、これらの成分を感知し、これらの成分の発生場所に動物等がいると判断して近づいていく性質があると考えられている。そのため、捕獲部４の近くにニオイ発生部を備えることで、捕獲部４による昆虫の捕獲をより効果的に行うことができる。
【００６０】
なお、ニオイ発生部としては、例えば、上述の成分群の中から少なくとも１つの成分を有する液体又は気体を用いて、上述の成分群の中から少なくとも１つの成分を散布するような構成を用いることができる。上述の成分群の中から少なくとも１つの成分を有する気体を用いる場合は、ファンやノズル等を用いて、その気体を直接散布する構成とすることができる。
【００６１】
また、上述の成分群の中から少なくとも１つの成分を有する液体を用いる場合は、その液体を直接霧吹き状に散布する構成としてもよく、或いは、その液体を気化させた後にファンやノズル等を用いて散布する構成としてもよい。霧吹き状に散布する場合は、スプレー装置等を用いることができる。また、液体を気化させるためには、例えば、ヒーターや超音波発生装置等を用いてもよく、或いは、液体が自然蒸発することを用いてもよい。
【００６２】
また、昆虫誘引装置１は、捕獲部４に加えて、捕獲部４の近くに摂食部を備えることが好ましい。摂食部は、上面が開放された箱体等を用いることができる。摂食部の箱体中には、アデノシン三リン酸（ＡＴＰ）及び糖類の少なくともどちらか一方を含有する水溶液である摂食水溶液が入っている。
【００６３】
蚊等の有害昆虫の一部は、摂食水溶液で栄養補給が可能であり、摂食水溶液に集まることが予想されるため、捕獲部４の近くに摂食部を備えることで、捕獲部４による昆虫の捕獲をより効果的に行うことができる。
【００６４】
また、昆虫誘引装置１は、殺虫部を備えてもよい。殺虫部は、光源２の点滅によって誘引されてきた昆虫を殺虫する。光源２の点滅によって誘引されてきた昆虫を殺虫することによって、効率的に昆虫の防除をすることができる。
【００６５】
殺虫部の構成としては、電流を流した導線に触れた昆虫を電流によって殺虫する構成としてもよいし、或いは、殺虫成分を含有する殺虫溶液に昆虫を触れさせることで殺虫する構成としてもよい。電流を流した導線で昆虫を殺虫する場合は、導線を光源２の照射方向の前方に設置することが好ましい。
【００６６】
また、殺虫成分を含有する殺虫溶液で昆虫を殺虫する場合は、光源２の近くに上面が開放された箱体に殺虫溶液を入れて設置してもよいし、或いは、光源２の近くに殺虫溶液を
含有した布等を設置してもよい。
【００６７】
［変形例１］
以下においては、実施の形態１に係る昆虫誘引装置１の変形例１について、図５を用いて説明する。図５（ａ）は、昆虫誘引装置の変形例１の概略斜視図であり、図５（ｂ）は、昆虫誘引装置の変形例１の概略断面図である。
【００６８】
変形例１に係る昆虫誘引装置１は、実施の形態１に係る昆虫誘引装置１とほぼ同様の構成を有するものであるが、その形状が異なる。以下では説明を簡略化し、実施の形態１での説明との異なる部分についてのみ説明をする。また、実施の形態１と同様の構成については、同じ符号を付して説明する。
【００６９】
変形例１に係る昆虫誘引装置１においては、昆虫誘引装置１の本体８によって昆虫誘引装置１の側面の４面が覆われており、昆虫誘引装置１の本体８の上面及び下面が開放されている。そして、昆虫誘引装置１の内部の中心付近に２つの光源２が備えられており、光源２からの照射光は、昆虫誘引装置１の上面及び下面の開放部分から、昆虫誘引対象エリアに照射される。また、捕獲部４が、昆虫誘引装置１の本体８の側面の内部側に設置されている。
【００７０】
変形例１に係る昆虫誘引装置１を用いれば、昆虫を誘引することができることに加え、光源２が外部から視認し難いことによって設置場所の雰囲気を壊さず、意匠性の高い昆虫誘引装置１を提供することができる。
【００７１】
［変形例２］
以下においては、実施の形態１に係る昆虫誘引装置１の変形例２について、図６を用いて説明する。図６（ａ）は、昆虫誘引装置の変形例２の概略斜視図であり、図６（ｂ）は、昆虫誘引装置の変形例２の概略断面図である。
【００７２】
変形例２に係る昆虫誘引装置１は、実施の形態１に係る昆虫誘引装置１とほぼ同様の構成を有するものであるが、その形状が異なる。以下では説明を簡略化し、実施の形態１での説明との異なる部分についてのみ説明をする。また、実施の形態１と同様の構成については、同じ符号を付して説明する。
【００７３】
変形例２に係る昆虫誘引装置１においては、昆虫誘引装置１の本体８が円柱状であり、円柱状の本体８に光源２等が備えられた凹状部が存在する。光源２は、凹状部の一つの面に設置されている。また、凹状部の光源２が設置された面以外の面には捕獲部４が設置されている。変形例２に係る昆虫誘引装置１は、屋外に設置するのに適した構成となっている。
【００７４】
（実施の形態に係る昆虫誘引装置の効果等）
ここで、上述した変形例１及び２を含む実施の形態１に係る昆虫誘引装置１の要点について、あらためて説明する。
【００７５】
実施の形態１に係る昆虫誘引装置１は、光源２と、制御部３とを備える。光源２は、７８０ｎｍ以上１３５０ｎｍ以下の波長成分を有する光を照射する。制御部３は、光源２を制御する。制御部３は、１００Ｈｚ以上４００Ｈｚ以下の点滅周期で、光源２を点滅させる。そして、光源２の出射照度は、光源２に対向する照射面における平均照射照度に比べ、５倍以下の数値である。
【００７６】
上記構成を有する昆虫誘引装置１を用いれば、人の視認できない赤外線を点滅させるこ
とにより、昆虫を誘引することができるので、人の視界の邪魔にならずに、昆虫を誘引することができる。また、薬剤を使用しないため、臭いや薬剤による人体への影響といった問題もなく、昆虫を誘引することができる。
【００７７】
実施の形態１に係る昆虫誘引装置１は、昆虫誘引対象エリアの端部分における放射照度は、１μＷ／ｃｍ２以上、１Ｗ／ｃｍ２以下であることが好ましい。
【００７８】
誘引対象となる昆虫の頭部における照射照度は１μＷ／ｃｍ２以上、１Ｗ／ｃｍ２以下であれば効果的に昆虫の誘引効果を得ることができる。それゆえ、昆虫誘引対象エリアの端部分における、光源２からの照射照度は１μＷ／ｃｍ２以上、１Ｗ／ｃｍ２以下であれば、昆虫誘引対象エリアの端部分の昆虫についても効果的に誘引することができる。
【００７９】
実施の形態１に係る昆虫誘引装置１は、部屋内に設置した際に、前記光源の設置高さが前記部屋の天井高さの３分の２以下であることが好ましい。
【００８０】
設置される部屋の天井高さの３分の２以下の高さに光源２を設置することで、昆虫をより効率的に誘引することができる。
【００８１】
実施の形態１に係る昆虫誘引装置１は、人感センサ５を、さらに備え、制御部３は、人感センサ５が対象を検知してからの所定時間の間、光源２を点滅させることが好ましい。
【００８２】
人感センサ５が昆虫誘引対象エリアに人が存在すると検知しているか否かに応じて光源２を点滅させることで、人がいない場合等の不要時に昆虫誘引装置１が動作するのを抑制することができ、消費電力を削減することができる。
【００８３】
実施の形態１に係る昆虫誘引装置１は、昆虫を捕獲するための捕獲部４を、さらに備え、制御部３は、光源２を点滅させることで捕獲部４に昆虫を誘引することが好ましい。
【００８４】
捕獲部４によって光源２の点滅により誘引された昆虫を捕獲することによって、誘引した昆虫を逃がすことを防止できるため、効率的に昆虫の防除をすることができる。
【００８５】
実施の形態１に係る昆虫誘引装置１は、昆虫の動きを検知する昆虫センサ６を、さらに備えることが好ましい。昆虫センサ６は、昆虫の飛翔方向を予測する。また、制御部３は、昆虫センサ６が予測した昆虫の飛翔方向に基づいて、捕獲部４に昆虫を誘引するように光源２を点滅させる。
【００８６】
この構成によって、昆虫が昆虫誘引対象エリアに存在しない場合等の不要時に昆虫誘引装置１が動作するのを抑制することができ、消費電力を削減することができる。
【００８７】
（その他の実施の形態）
以上、実施の形態１を用いて、本発明に係る昆虫誘引装置１について説明してきた。しかしながら、昆虫誘引装置１の実施態様は、実施の形態１に限定されるものではない。
【００８８】
実施の形態１においては、昆虫誘引装置１は、室内や屋外に設置することを前提に説明してきたが、昆虫誘引装置１は、室内や屋外等の所定の場所に設置するものに限定されず、持ち運び可能な構成としてもよい。
【００８９】
例えば、昆虫誘引装置１をランタンに似せた形状等にして持ち運び可能としたものを、人が屋外で活動する際に活動エリアより少し離れた場所に置いておくことで、昆虫を気にせず安全に屋外での活動を行うことができる。
【００９０】
また、昆虫誘引装置１の用途としては、人の生活活動エリアから昆虫を昆虫誘引装置１の方向に誘引する用途だけに限定されない。例えば、人や荷物等に付着して対象エリアに昆虫が侵入するのを防ぐ用途にも使用することができる。
【００９１】
例えば、建物の入り口や港や空港において、人や荷物が入ってくるたびに昆虫誘引装置１を動作させ、人や荷物等に付着している昆虫を誘引し、昆虫の建物内への侵入や上陸を阻止することができる。この場合、人や荷物等の全体に対して光源２からの発光を照射することが好ましい。
【００９２】
なお、上述の実施の形態１については、本発明の実施態様の例示に過ぎず、数値や形状等についても好ましいものの例示に過ぎず、本発明はこれらの実施の形態にのみ限定されるものではない。本発明の技術的思想の範囲を逸脱しない範囲で、構成に適宜変更を加えることは可能である。
【実施例】
【００９３】
以下、本実施の形態を実施例及び比較例によりさらに詳細に説明するが、本実施の形態はこれら実施例に限定されるものではない。
【００９４】
図７は、評価実験に用いた光源の発光波長スペクトルを表すグラフである。実施例及び比較例において、光源２には、蛍光灯と所定波長域の光を透過するフィルタを組み合わせたものを使用した。実施例及び比較例で用いた光源２の波長スペクトルは、図７に示す通りである。また、評価実験において、昆虫誘引装置１は、幅約３．５ｍ、奥行き約３．５ｍ、高さ約２．５ｍの直方体状の実験室内に設置した。
【００９５】
評価実験においては、次に示す表１の通り、実施例１〜１８及び比較例１〜９を用いている。実施例１〜１８及び比較例１〜９はそれぞれ、ピーク波長、点滅周期、最小照射照度、照射照度比、設置高さ、といったパラメータを変更したものである。
【００９６】
【表１】
2019058124.tif 000003
ここで、ピーク波長とは、光源２の発光スペクトルのピーク波長のことである。点滅周期とは、光源２の発光の点滅周期のことである。最小照射照度とは、実験室内において光源２から最も遠い角における照射照度のことである。照射照度比とは、光源２の出射照度と、照射面における平均照射照度との比である。設置高さのパラメータは、光源２の設置高さを、実験室の天井高さで割り算した値を示している。
【００９７】
（評価）
［ピーク波長による影響の評価試験］
上記パラメータの中でピーク波長のみが異なる実施例１〜６及び比較例１〜２に係る昆虫誘引装置１を用いて、ピーク波長による影響の評価試験を行った。具体的には、上述の実験室において、光源２の点灯実験を行い、実験室内の２００匹の昆虫の相対捕獲率を算出する実験を行った。
【００９８】
評価試験には、生態リズムを整えて飼育した、キンバエと、キイロショウジョウバエと、アカイエカと、ヒトスジシマカとを各５０匹ずつを使用した。また、捕獲率とは、評価試験開始から２４時間後における、捕獲部４で捕獲した昆虫数を実験室内の昆虫数で割り算した値である。そして、比較例１の捕獲率を基準の１．０とし、それぞれの実施例及び比較例における相対捕獲率を算出した。捕獲部４としては、粘着テープを使用した。評価結果を、表２に示す。
【００９９】
【表２】
2019058124.tif 000004
表２に示すように、ピーク波長が７８０ｎｍ〜１３５０ｎｍの範囲内である実施例１〜６では、相対捕獲率が１．５以上の値であった。一方で、ピーク波長が７３５ｎｍ又は１５５０ｎｍである比較例１及び２においては、相対捕獲率が１．０以下の値であった。
【０１００】
この結果から、光源２は、７８０ｎｍ以上１３５０ｎｍ以下の波長成分を有する発光を行うことが好ましく、７８０ｎｍ以上１３５０ｎｍ以下の波長成分を有する発光であれば、昆虫を誘引する効果が十分に得られることがわかった。
【０１０１】
［点滅周期による影響の評価試験］
上記パラメータの中で点滅周期のみが異なる実施例３、７〜９及び比較例３〜４に係る昆虫誘引装置１を用いて、点滅周期による影響の評価試験を行った。具体的には、上述の実験室において、光源２の点灯実験を行い、実験室内の２００匹の昆虫の相対捕獲率を算出する実験を行った。使用した昆虫は、上述のピーク波長による影響の評価試験と同様である。また、相対捕獲率は、比較例３の捕獲率を基準の１．０とし、それぞれの実施例及び比較例における相対捕獲率を算出した。評価結果を、表３に示す。
【０１０２】
【表３】
2019058124.tif 000005
表３に示すように、点滅周期が１００Ｈｚ〜４００Ｈｚの範囲内である実施例３及び７〜９では、相対捕獲率が１．５以上の値であった。一方で、点滅周期が５０Ｈｚ又は４５０Ｈｚである比較例３及び４においては、相対捕獲率が１．０程度の値であった。
【０１０３】
この結果から、光源２の点滅周期は１００Ｈｚ〜４００Ｈｚの範囲内であることが好ましく、点滅周期が１００Ｈｚ〜４００Ｈｚの範囲内であれば、昆虫を誘引する効果が十分に得られることがわかった。
【０１０４】
［最小放射照度による影響の評価試験］
上記パラメータの中で最小照射照度のみが異なる実施例３、１０〜１３及び比較例５〜６に係る昆虫誘引装置１を用いて、最小照射照度による影響の評価試験を行った。具体的には、上述の実験室において、光源２の点灯実験を行い、実験室内の２００匹の昆虫の相対捕獲率を算出する実験を行った。使用した昆虫は、上述のピーク波長による影響の評価試験と同様である。また、相対捕獲率は、比較例５の捕獲率を基準の１．０とし、それぞれの実施例及び比較例における相対捕獲率を算出した。評価結果を、表４に示す。
【０１０５】
【表４】
2019058124.tif 000006
表４に示すように、最小照射照度が１μＷ／ｃｍ２〜１０００μＷ／ｃｍ２の範囲内である実施例３及び１０〜１３では、相対捕獲率が１．５以上の値であった。一方で、最小照射照度が０．５μＷ／ｃｍ２又は１１００μＷ／ｃｍ２である比較例５及び６においては、相対捕獲率が１．０以下の値であった。
【０１０６】
この結果から、最小照射照度は１μＷ／ｃｍ２〜１Ｗ／ｃｍ２の範囲内であることが好ましく、最小照射照度が１μＷ／ｃｍ２〜１Ｗ／ｃｍ２の範囲内であれば、昆虫を誘引する効果が十分に得られることがわかった。
【０１０７】
［照射照度比による影響の評価試験］
上記パラメータの中で照射照度比のみが異なる実施例３、１４〜１５及び比較例７〜８に係る昆虫誘引装置１を用いて、照射照度比による影響の評価試験を行った。具体的には、上述の実験室において、光源２の点灯実験を行い、実験室内の２００匹の昆虫の相対捕獲率を算出する実験を行った。使用した昆虫は、上述のピーク波長による影響の評価試験と同様である。また、相対捕獲率は、比較例７の捕獲率を基準の１．０とし、それぞれの実施例及び比較例における相対捕獲率を算出した。評価結果を、表５に示す。
【０１０８】
【表５】
2019058124.tif 000007
表５に示すように、照射照度比が２〜５の範囲内である実施例３及び１４〜１５では、相対捕獲率が１．５以上の値であった。一方で、照射照度比が１又は５である比較例７及び８においては、相対捕獲率は１．０以下の値であった。
【０１０９】
この結果から、照射照度比は２〜５の範囲内であることが好ましく、照射照度比が２〜５の範囲内であれば、昆虫を誘引する効果が十分に得られることがわかった。
【０１１０】
［設置高さによる影響の評価試験］
上記パラメータの中で設置高さのみが異なる実施例３、１６〜１８及び比較例９に係る昆虫誘引装置１を用いて、設置高さによる影響の評価試験を行った。具体的には、上述の実験室において、光源２の点灯実験を行い、実験室内の２００匹の昆虫の相対捕獲率を算出する実験を行った。使用した昆虫は、上述のピーク波長による影響の評価試験と同様である。また、相対捕獲率は、比較例９の捕獲率を基準の１．０とし、それぞれの実施例及び比較例における相対捕獲率を算出した。評価結果を、表６に示す。
【０１１１】
【表６】
2019058124.tif 000008
表６に示すように、設置高さが０．６（３分の２）以下である実施例３、１６〜１８では、相対捕獲率が１．５以上の値であった。この結果から、設置高さは０．６（３分の２）以下であることが好ましく、設置高さが０．６（３分の２）以下であれば、昆虫を誘引する効果が十分に得られることがわかった。
【０１１２】
以上、実施例に沿って本実施の形態の内容を説明したが、本実施の形態はこれらの記載に限定されるものではなく、種々の変形及び改良が可能であることは、当業者には自明である。
【符号の説明】
【０１１３】
１        昆虫誘引装置
２        光源
３        制御部
４        捕獲部
５        人感センサ
６        昆虫センサ
【図１】
2019058124.tif 000009
【図２】
2019058124.tif 000010
【図３】
2019058124.tif 000011
【図４】
2019058124.tif 000012
【図５】
2019058124.tif 000013
【図６】
2019058124.tif 000014
【図７】
2019058124.tif 000015